(57)【要約】【課題】食器洗い機の扉に設けた係止部材を本体の一部に係止させ、操作ボタンの操作によりその係止を解除するようにした食器洗い機のロック装置において、洗浄中は操作ボタンに触れても前記の係止が解除されないうようにロックすることである。【解決手段】扉２’の内面に飛散して流下する洗浄水の滞留部６３を該扉の内面に設け、その滞留部６３にフロート１９を収納するとともに、該フロート１９の浮上時において本体１に係止した上部係止部材１５及び下部係止部材１６の動作を阻止し、該フロート１９の下降時において上部係止部材１５及び下部係止部材１６の動作を許容するようにした。【選択図】  図６
2004313325.tif 000002
【特許請求の範囲】
【請求項１】
操作部材に連動する係止部材を扉に設け、前記係止部材を食器洗い機本体の一部に係脱させるようにした食器洗い機の扉ロック装置において、前記扉の内面に飛散して流下する洗浄水の滞留部を該扉の内面に設け、前記滞留部にフロートを収納し、該フロートの浮上時に前記係止部材の動作を阻止し、該フロートの下降時に該係止部材の動作を許容することを特徴とする食器洗い機の扉ロック装置。
【請求項２】
操作部材に連動する係止部材を扉に設け、前記係止部材を食器洗い機本体の一部に係脱させるようにした食器洗い機の扉ロック装置において、
前記操作部材と係止部材との間に該操作部材に係合して水平移動する作動部材を介在し、その作動部材の係止解除方向への前進及び係止方向への後退に応じて前記係止部材を連動せしめ、前記扉の内面に飛散して流下する洗浄水の滞留部を該扉の内面に設け、その滞留部の底部に前記洗浄水の流入量より少ない流出量をもった排水口を設け、前記滞留部に水平方向への移動を規制したフロートを収納し、該フロートの浮上時に前記作動部材の前端面に当接させて該作動部材の前進を阻止し、該フロートの下降時において該前端面より下方へ移行させて該作動部材の前進を許容することを特徴とする食器洗い機の扉ロック装置。
【請求項３】
前記係止部材を前記扉の上部から上方に出没自在に突き出す上部係止部材と、該扉の下部から下方に出没自在に突き出す下部係止部材とにより構成し、前記作動部材に前記操作部材の押込み時に係合して該作動部材を係止解除方向に前進させる傾斜カム面を設けるとともに、該作動部材に係合してこれを後退方向に付勢する後退付勢ばねを設け、前記作動部材に前記上部係止部材に対応し前進方向に高くなる傾斜のついたガイド溝、下部係止部材に対応し後退方向に高くなる同じ傾斜角のついたガイド溝をそれぞれ設け、各ガイド溝にそれぞれ前記各係止部材の突起を嵌入したことを特徴とする請求項２に記載の食器洗い機の扉ロック装置。
【請求項４】
操作部材に連動する係止部材を扉に設け、前記係止部材を食器洗い機本体の一部に係脱させるようにした食器洗い機の扉ロック装置において、前記係止部材に係合するロック部材、該ロック部材をロック方向に付勢するロックばね及び該ロックばねに対向して前記ロック部材をロック解除方向に移動させる電磁ソレノイドをそれぞれ前記本体に設け、前記扉の内面に飛散して流下する洗浄水の滞留部を該扉の内面に設け、その滞留部の底部に前記洗浄水の流入量より少ない流出量をもった排水口を設け、前記滞留部にフロートを収納するとともに、そのフロートに連動する検知手段を設け、該検知手段の電気信号に基づき前記電磁ソレノイドを制御することを特徴とする食器洗い機の扉ロック装置。
【発明の詳細な説明】
【０００１】
【発明の属する技術分野】
この発明は、食器洗い機又は食器洗い乾燥機の扉ロック装置に関するものである。
【０００２】
【従来の技術】
食器洗い機（食器洗い乾燥機を含む。）においては、食器洗浄中に蓋が開放されないようにするために、従来から蓋のロック構造が採用されている。その一例として、扉の下端に設けたヒンジを中心にして扉を上から下に回動させることによって開放する形式の食器洗い機において、扉前面に設けた取手レバーによって作動されるロック爪を扉側に設け、そのロック爪を食器洗い機本体の前面に設けたロック受け片に係合させ、その係合状態で食器の洗浄を行うようにしたものが知られている（特許文献１参照）。扉を開放する際は、使用者が前記の取手レバーを握り込むことによりロック爪を作動させ、ロック爪とロック受け片の係合を解除するようになっている。
【０００３】
また、左右２枚の扉を中間部でＶ字型に山折れするように連結するとともに、一方の扉の外端に縦方向のヒンジを設け、前記２枚の扉をＶ字型に山折れさせながら前記ヒンジ側へ移動させて開放する扉の開閉構造をもった食器洗い機において、一方の扉の上端から突き出す上部ロックピンと下端から突き出す下部ロックピンを設けるとともに、その扉の中間部分に水平方向の揺動レバーを設け、上部ロックピンの下端と下部ロックピンの上端をそれぞれ前記揺動レバーの支点の両側にそれぞれ連結し、扉の前面に設けたロック解除ボタンを前記揺動レバーに関連させ、上下の各ロックピンをそれぞれ本体に係合させるようにしたものも知られている（特許文献２参照）。この場合、扉を開放させるには、使用者が前記のロック解除ボタンを押し込むことにより揺動レバーを揺動させ、上部ロックピンを下方に、下部ロックピンを上方に同時に移動させてロックを解除して扉を開放する。
【０００４】
さらに、電磁ソレノイドを用いた施錠装置を本体に設け、扉閉鎖時に扉側のレバーをその施錠装置内でロックし、扉開放時は電気信号により電磁ソレノイドを開放位置に作動させ前記レバーのロックを解除するようにしたものも知られている（特許文献３参照）。
【０００５】
【特許文献１】
特許第３１４９３２３号公報（段落００２１〜００３、図５）
【特許文献２】
特開２００２−２８２１８８号公報（段落００２４〜００２８、図１０、図１１）
【特許文献３】
特開２０００−２７５０５号公報（段落００３５〜００３７、図１〜図７）
【０００６】
【発明が解決しようとする課題】
しかしながら、特許文献１、２の場合は、扉閉鎖中に取手レバーやロック解除ボタンに不用意に触れるとロックが解除され、洗浄中であるにもかかわらず扉が開放され、洗浄水が外部に飛び散る不都合があった。特許文献３においては電磁ソレノイドを制御する信号がどのように得られるかについての記載はない。その信号が手動スイッチにより送られるものであるとすると、不用意にそのスイッチに触れるとロックが解除されるので、前記の場合と同様の問題がある。
【０００７】
上記のように、従来の場合は「ロックする」という言葉が用いられているが、いずれの場合もレバーやボタンに触れるとそのロックが簡単に解除されるものであり、「ロック」とはいうものの実際は「係り止め」又は「係止」程度のものであり、安全性に欠けるところがあった。
【０００８】
そこで、この発明は、洗浄中は外部からの操作によっては扉の本体に対する係止が解除されないようにロックして扉の開放を阻止し、非洗浄中はロックが作用せず、扉の係止が解除され扉を容易に開放できるようにすることを課題とする。
【０００９】
【課題を解決するための手段】
前記の課題を解決するための第１の手段として、この発明においては、操作部材に連動する係止部材を扉に設け、前記係止部材を食器洗い機本体の一部に係脱させるようにした食器洗い機の扉ロック装置において、前記扉の内面に飛散して流下する洗浄水の滞留部を該扉の内面に設け、前記滞留部にフロートを収納し、該フロートの浮上時に前記係止部材の動作を阻止し、該フロートの下降時に該係止部材の動作を許容する構成を採用した。
【００１０】
前記第１の手段の構成によると、扉を閉鎖して洗浄を開始すると、扉内面に飛散した洗浄水が流下して滞留部に溜まりフロートが浮上すると、係止部材は本体に係止した状態にロックされる。従って、洗浄中は操作部材に手を振れてもロックが解除されることがなく、扉が開放されることはない。また、洗浄が終了してフロートが下降すると係止部材のロックが解除され、扉の開放が可能となる。
【００１１】
また、前記の課題を解決する第２の手段として、この発明においては、操作部材に連動する係止部材を扉に設け、前記係止部材を食器洗い機本体の一部に係脱させるようにした食器洗い機の扉ロック装置において、前記操作部材と係止部材との間に該操作部材に係合して水平移動する作動部材を介在し、その作動部材の係止解除方向への前進及び係止方向への後退に応じて前記係止部材を連動せしめ、前記扉の内面に飛散して流下する洗浄水の滞留部を該扉の内面に設け、その滞留部の底部に前記洗浄水の流入量より少ない流出量をもった排水口を設け、前記滞留部に水平方向への移動を規制したフロートを収納し、該フロートの浮上時に前記作動部材の前端面に当接させて該作動部材の前進を阻止し、該フロートの下降時において該前端面より下方へ移行させて該作動部材の前進を許容するようにした構成を採用した。
【００１２】
前記第２の手段の構成によると、扉を閉鎖して洗浄を開始すると、扉内面に飛散した洗浄水が流下して滞留部に溜まりフロートが浮上する。そのフロートの浮上により作動部材の係止解除方向への移動が阻止され、係止部材は本体に係止した状態にロックされる。従って、洗浄中は操作部材に手を振れてもロックが解除されることがなく、扉が開放されることはない。また、洗浄が終了すると滞留部内の洗浄水が排水口から排出されるためフロートが下降して係止部材のロックが解除され、扉の開放が可能となる。
【００１３】
更に、前記の課題を解決する第３の手段として、この発明においては、操作部材に連動する係止部材を扉に設け、前記係止部材を食器洗い機本体の一部に係脱させるようにした食器洗い機の扉ロック装置において、前記係止部材に係合するロック部材、該ロック部材をロック方向に付勢するロックばね及び該ロックばねに対向して前記ロック部材をロック解除方向に移動させる電磁ソレノイドをそれぞれ前記本体に設け、前記扉の内面に飛散して流下する洗浄水の滞留部を該扉の内面に設け、その滞留部の底部に前記洗浄水の流入量より少ない流出量をもった排水口を設け、前記滞留部にフロートを収納するとともに、そのフロートに連動する検知手段を設け、該検知手段の電気信号に基づき前記電磁ソレノイドを制御する構成を採用した。
【００１４】
この場合は、扉を閉鎖して洗浄を開始すると、扉内面に飛散した洗浄水が流下して滞留部に溜まるとフロートが浮上し、検知手段が作動される。その検知手段のオン信号により電磁ソレノイドがオンになるとロック部材が作動され、係止部材に係合してこれをロックする。従って、洗浄中は操作部材に手を振れてもロックが解除されることがなく、扉が開放されることはない。また、洗浄が終了すると滞留部内の洗浄水が排水口から排出されるためフロートが下降して検知手段の信号がオフとなり、それによって電磁ソレノイドがオフとなりロックが解除され、扉の開放が可能となる。
【００１５】
【発明の実施形態】
以下、添付図面に基づいてこの発明の実施形態を説明する。図示の実施形態は食器洗い乾燥機に関するものであり、図１から図３に示したように、本体１の前面に左右２枚の扉２、２’が取付けられる。２枚の扉２、２’は内端相互が中央ヒンジ部３（図２参照）により連結され、前面から見て左側の扉２の左端部上下に設けたガイド部材４、４’を本体１の上下縁に設けたガイドレール５、５’にスライド自在に嵌合している。また、右側の扉２’の右端部の上下に設けたヒンジピン６，６’を本体１の右側端部の上下に回動自在に差し込んでいる。図示を省略しているが、前記の中央ヒンジ部３には左右の扉２、２’をＶ字型の山折れ状態に屈曲する方向に付勢するばねが内装される。
【００１６】
また、各扉２、２’の前面において、ハンドル７、７’の下方に左右の操作ボタン８、８’（特許請求の範囲においては「操作部材」と称している。）が設けられ、それぞれボタンヒンジ９、９’（図４参照）により前後方向に揺動自在に取付けられる。右側操作ボタン８’の内端部に設けた係合段部１１（図１０参照）に左側操作ボタン８の内端部が重なり、左側操作ボタン８を押し込むと右側操作ボタン８’が連動して押し込まれ、右側操作ボタン８’を押し込むと、右側操作ボタン８’のみが押し込まれる。
【００１７】
前記の扉２、２’は、一定の間隔をおいて対向した表面板１２と裏面板１３を有し（図５参照）、扉２、２’のロック装置１４がその表面板１２と裏面板１３との間に設けられる。ロック装置１４は、ロッド状の長尺な上部係止部材１５、ロッド状の短寸の下部係止部材１６、作動部材１７、パッキン１８等により構成される。
【００１８】
上部係止部材１５は、図４に示すように、裏面板１３に設けたガイド部材２１によって上下方向にスライド自在に支持され、その上端部が扉２’の上端から出没し、突き出し時に本体１の係止凹部２２に嵌入して扉２、２’の開放を阻止する。また、その上部係止部材１５の中程に、裏面板１３に取付けたコイルばね２３を押し当てることによって上部係止部材１５を上向きに、また、下部係止部材１６を下向きに付勢している。上部係止部材１５の下端部に内向きの突起２４が設けられ（図７（ａ）参照）、その突起２４が作動部材１７の扉２’の前面から見て右側に設けられた右ガイド溝２５（図６参照）に嵌入される。
【００１９】
下部係止部材１６は、扉２’の下端部において、前記上部係止部材１５より若干内寄り（中央ヒンジ部３寄り）の位置で裏面板１３に沿い、ガイド部２０に挿通され上下動自在に支持される（図７（ｂ）参照）。その下端部が扉２’の下端から出没し、突き出し時に本体１の係止凹部２２’に嵌入することにより前記の上部係止部材１５と協働して扉２、２’の開放を阻止する。この下部係止部材１６の上端部に外向きの突起２６が設けられ、その突起２６が作動部材１７の左ガイド溝２７（図６参照）に嵌入される。
【００２０】
図７（ｂ）に示すように、前記の操作ボタン８’は、その操作面２８が表面板１２の穴２９から前方に露出するとともに、その操作面２８の下部に設けた凸部３１を穴２９の内側に係合させ、前方への突き出しを規制する。また、その操作ボタン８’と裏面板１３との間にコイルばね３２を介在させることにより、操作ボタン８’を前記凸部３１が表面板１２に当るまで前方に向け付勢する。図示を省略しているが、左側の操作ボタン８にも同様の付勢手段が設けられる。
【００２１】
前記の作動部材１７は、図１０、図１１に示すようにブロック状のものであり、前記の左ガイド溝２７を設けた左垂直部３３、その上端に裏面板１３側に屈曲した左水平部３４が設けられ、これらの右側に前記の右ガイド溝２５を設けた右垂直部３５、その上端に前記の左水平部３４よりも高い位置において裏面板１３側に屈曲した右水平部３６が設けられる。
【００２２】
前記の左水平部３４の上面と右垂直部３５の側部との間に傾斜カム面３７を有するカム部３８が設けられる。傾斜カム面３７は垂直面内において左右方向の面に対し一定の傾斜角θを有する（図１１（ａ）参照）。また、前記右垂直部３５の右端部には右方向に突き出したロッド部３９が設けられる。さらに、右垂直部３５の下端部の前後の縁にリブ４１、４１が設けられる。
【００２３】
前記の右ガイド溝２５は、図１１（ｂ）に示すように、作動部材１７の底面に対し右側端部が高くなるように傾斜し（傾斜角度α）、また左ガイド溝２７は左側端部が高くなるように反対方向に傾斜している（傾斜角度−α）。
【００２４】
前記裏面板１３の中間部で左右を区分すべく屈曲された壁面４２が上下方向に設けられ（図１０参照）、その壁面４２の左側が表面板１２に対して凹入することによりロック装置設置部４３が設けられ、前述のロック装置１４がこの面に設置される。また、壁面４２の右側において、本体１に対して凹入したフロート装置設置部４４が設けられ、フロート１９と後述の滞留部６３の組み合せにより構成されたフロート装置５９がこの面に設置される。
【００２５】
前記のロック装置設置部４３において、前記の操作ボタン８’のボタンヒンジ受け部１０、１０の下端部に接近した位置に、作動部材ガイド部４５が設けられる（図７及び図１０参照）。その作動部材ガイド部４５の左端部に水平ガイド溝４６が設けられるとともに、該作動部材ガイド部４５の右端の前記壁面４２に開口４７（図８参照）が設けられ、その開口４７によって壁面４２の左側のロック装置設置部４３と右側のフロート装置設置部４４とが連通している。その開口４７のロック装置設置部４３側の面に開口４７より大径で同芯状のパッキン収納部４８が設けられる。そのパッキン収納部４８の上下２箇所に係止爪４９、４９が突設される。前記の開口４７に前述のパッキン１８の先端部がロック装置設置部４３側からフロート装置設置部４４に向けて水密を保持して挿入される。そのパッキン１８の挿入部分は、図６に示したように、ヘッド部５１を中心としてその周りに設けた蛇腹部５２を前記の開口４７に密着させ、その蛇腹部５２に連続したスカート部５３を前記パッキン収納部４８の内周面に密着させている。
【００２６】
前記の作動部材１７は、その左水平部３４の側縁部を前記のガイド溝４６に嵌合するとともに、右水平部３６を作動部材ガイド部４５に接触させる。またロッド部３９にコイルばねでなる後退付勢ばね５４を嵌合し、ロッド部３９の基部に設けたつば部５５でその後退付勢ばね５４の一端を受けるとともに、ロッド部３９の先端部に被せたハット型のばね受け部材５６により他端を受ける。ばね受け部材５６は前記パッキン１８のスカート部５３の内周面に水密に挿入され、そのばね受け部材５６のつば部が前記の係止爪４９、４９に係止される（図６参照）。
【００２７】
前記の作動部材１７の右ガイド溝２５に、上部係止部材１５下端部の突起２４が嵌入され、また左ガイド溝２７に、前記の下部係止部材１６の突起２６が嵌入される。作動部材１７は水平方向に一定ストロークＳ（図８、図９（ｂ）参照）でスライド可能であり、そのストロークの後端においてその水平部３４が前記水平ガイド溝４６の後端に当って規制される（図９（ａ）参照）。
【００２８】
操作ボタン８’が操作されない通常の状態において、その凸部３１が傾斜カム面３７の先端近くに当接する。このとき、作動部材１７がストロークの後端にあり、上部係止部材１５の突起２４は右ガイド溝２５の上端に位置し（図６参照）、下部係止部材１６の突起２６は左ガイド溝２７の下端に位置する。これにより、上部係止部材１５は上方に突き出して本体１の係止凹部２２に嵌入し（図４参照）、また下部係止部材１６は下方に突き出して本体１の係止凹部２２’に嵌入する。
【００２９】
一方、操作ボタン８’が押し込まれるとその凸部３１が傾斜カム面３７を押しながら内方に移動するため（図９（ｂ）参照）、作動部材１７は前方（フロート１９側）に移動する。これと同時に上部係止部材１５の突起２４は右ガイド溝２５の下端に移動し（図８参照）、突起２６は左ガイド溝２７の上端に移動する。これにより上部係止部材１５が下降するとともに、下部係止部材１６が上昇してそれぞれ本体１の係止凹部２２、２２’から脱出する。
【００３０】
前述のように、作動部材１７がストロークの後端にある図６及び図９（ａ）の状態から移動を開始して、図８及び図９（ｂ）に示したストロークの前端に達する移動方向をこの明細書では「係止解除方向」と称し、その反対の移動方向を「係止方向」と呼ぶこととする。
【００３１】
次に、前記のフロート装置５９の構造について説明する（図６、図８、図１２参照）。このフロート装置５９は、本体１の内部に面しており、食器洗浄中は洗浄水の飛散に曝される面であり、その面に沿って流下する洗浄水を集めるために前記の壁面４２の一部を傾斜させて設けたガイド部６１を形成し、これに対向してリブ状のガイド部６１’を設け、これらの下端部に集水用切欠き６２（図１２参照）を設けている。その集水用切欠き６２の下方に上端開放の滞留部６３が設けられ、その滞留部６３に前記のフロート１９が収納される。滞留部６３の一側面は前記の壁面４２の下端部分により形成され、他の二側面は一定高さの溢流壁６４、６４’となっている。その一つの溢流壁６４の下端にスリット状の排水口６５が設けられる。この排水口６５は滞留部６３に一定時間内に流入する洗浄水の流入量よりも少ない流出量をもつように形成され、洗浄中は溢流壁６４、６４’から常に溢流する状態、すなわち滞留部６３は常に満水状態にあるように設定される。洗浄が停止されれば洗浄水の流入がなくなるので、排水口６５から内部の水が流出すると内部は空になる。
【００３２】
フロート１９は下面が開放された箱形をなし、前記の壁面４２と反対側の壁面、即ち溢流壁６４’側の壁面に支持アーム６６が設けられる。その支持アーム６６は溢流壁６４の上を越えた部分において支持軸６７によって上下方向に揺動自在に支持される。フロート１９は支持アーム６６の揺動により上下方向に移動可能であり、かつ水平方向への移動はその支持アーム６６により規制される。
【００３３】
なお、フロート１９に支持アーム６６を設けることなく単に上下方向に移動可能に収納する場合は、滞留部６３の壁面をフロート１９に接近させて水平方向への移動を規制するようにする。
【００３４】
前記の滞留部６３の一つの壁面を形成する前記の壁面４２に前述の開口４７が設けられ（図８、図１２参照）、パッキン１８がその開口４７に挿入されるが、そのパッキン１８のヘッド部５１とフロート１９の位置関係は、フロート１９が満水の滞留部６３の内部で浮上したとき（図６の２点鎖線参照）、そのフロート１９とヘッド部５１の前端面が接触し、また滞留部６３内の水が排出されてフロート１９が下降したときは、図９に示すように、ヘッド部５１より下方にあって係止解除方向に前進したヘッド部５１がフロート１９に干渉しないように位置決めされる。
【００３５】
実施形態に係る食器洗い乾燥機は以上のようなものであり、次にその作用について説明する。図１に示すように、扉２、２’を閉めた状態で、操作ボタン８、８’が操作されない状態においては、操作ボタン８’の凸部３１が作動部材１７の傾斜カム面３７の先端部に接触又は接近した状態（図９（ａ）参照）にあるので、作動部材１７はストロークの後端にある。そのため、前述のように、上部係止部材１５と下部係止部材１６がそれぞれ本体１の係止凹部２２、２２’に嵌入され、各扉２、２’は本体１に対して係止される。この状態で操作ボタン８、８’を押し込むと、作動部材１７が係止解除方向に前進するため、左右のガイド溝２５、２７の作用により上部係止部材１５と下部係止部材１６が係止凹部２２、２２’から脱出して係止が解除される。係止の解除により扉２、２’を開放することが可能になる。
【００３６】
次に、扉２、２’を閉めると前記と逆の作用により扉２、２’の本体１に対する係止が行われる。そして洗浄を開始すると、本体１の内部で洗浄水が飛散し、その一部が扉２、２’の内面（すなわち、裏面板１３の本体１側の内面）にかかる。かかった洗浄水がガイド部６１、６１’（図１２参照）で集められ集水用切欠き６２からその下方の滞留部６３に落下する。滞留部６３内の洗浄水の一部は排水口６５から流出するが、その流出量以上の洗浄水が滞留部６３に流入されるためフロート１９がその内部に空気を保持して浮上し、溢水状態になると最も高い位置となってパッキン１８のヘッド部５１の前端面に当接する（図６の２点鎖線参照）。フロート１９は支持アーム６６により水平方向への移動が規制されているので、パッキン１８及びこれと一体の作動部材１７の係止解除方向への前進が阻止され、また、操作ボタン８又は８’は押し込むことができず、扉２、２’はロック状態となる。この状態は洗浄中洗浄水の飛散がある限り継続する。
【００３７】
洗浄が終了すると洗浄水の飛散がなくなるので、滞留部６３内の洗浄水は排水口６５から排出され空になりフロート１９が下降し、前記のロックが解除される。従って、使用者が操作ボタン８又は８’を押し込むと、その凸部３１が傾斜カム面３７を押して作動部材１７を係止解除方向に前進させ、そのストロークの前端に達すると、上部係止部材１５、下部係止部材１６がそれぞれ係止凹部２２、２２’から脱出する。これにより扉２、２’の本体１に対する係止が解除されるので、中央ヒンジ部３のばね力によりＶ字型に折り曲げられ、２枚の扉２、２’が重なった全開状態となる。
【００３８】
全開状態にある扉２、２’を閉める際は、左右のハンドル７、７’を把持し、中央ヒンジ部３のばね力に抗して引戻すと、上部係止部材１５の上端が係止凹部２２に合致した状態でコイルばね２３のばね力により上昇し、その上端が係止凹部２２に嵌入する。上部係止部材１５の上昇に伴い突起２４も上昇するのでその力が右ガイド溝２５の壁面に作用し、作動部材１７が後退（係止方向に移動）される。作動部材１７の後退とともに左ガイド溝２７に嵌合された突起２６に下向きの力が作用し、下部係止部材１６が下降してその下端が係止凹部２２’に嵌入される。これにより、扉２、２’が閉鎖され、本体１に係止される。
【００３９】
次に、図１３及び図１４に基づいて、他の実施形態について説明する。主として前記の場合と相違する部分について説明する。まず、この実施形態の場合は、上部係止部材１５の上端に切欠き凹部６８を設け（図１４参照）、本体１に設けたロック部材６９の爪部７０をその切欠き凹部６８に係脱させるようにしている。ロック部材６９は本体１の係止凹部２２の上端部上方から内部に挿入され、その中程を揺動ピン７１により揺動自在に取付けている。その揺動ピン７１から上方に突き出した端部にコイルばね７２が押し当てられ、下端の爪部７０を常に前記の切欠き凹部６８に係合させ上部係止部材１５をロックする方向に付勢されている。
【００４０】
前記ロック部材６９の上端部を挟んでコイルばね７２の反対側に電磁ソレノイド７３が設けられる。この電磁ソレノイド７３は、その内部に収納されたばね（図示省略）によりそのプランジャー７４が突き出し方向に付勢され、コイルばね７２のばね力に打ち勝ってロック部材６９の爪部７０を切欠き凹部６８から外しロックを解除する。電磁ソレノイド７３に通電してオンにすると、プランジャー７４が後退し、コイルばね７２のばね力によってロック部材６９が作動され、その爪部７０が切欠き凹部６８に係合させてロックする。
【００４１】
前記の電磁ソレノイド７３にロック信号を送るために、図１３に示すように、滞留部６３、フロート７５、そのフロート７５によって作動される検知手段としてのマイクロスイッチ７６が、前記のフロート装置５９に設けられる。前記の場合と同様に滞留部６３がガイド部６１、６１’下端の集水用切欠き６２の下方に設けられる。滞留部６３の下端部に排水口６５を設け、また一定レベルの位置に溢水口７７を設けている。
【００４２】
前記の滞留部６３の一部にフロート室７８が連通状態に設けられ、そのフロート室７８に前記のフロート７５が収納される。フロート７５の上端に上向きに設けられたロッド７９がフロート室７８の外部に突き出し、その外部に取付けられた前記のマイクロスイッチ７６のアーマチュア８１に対向している。洗浄水が溢水口７７のレベルになると、浮上したフロート７５のロッド７９がアーマチュア８１に接してマイクロスイッチ７６からオン信号を制御部（図示省略）に出力する。制御部はその信号に基づき前記の電磁ソレノイド７３をオンにして前記のロック作用を行う。
【００４３】
なお、ロック装置１４の構造は前述の場合と基本的に同様であるが、相違点は壁面４２において開口４７が設けられておらず、従って、作動部材１７のロッド部３９が壁面４２を貫通することがなく、またパッキン１８も不要である点である。即ち、この場合は前述のように作動部材１７の作動をフロート７５で規制してロックするという考えはなく、ロックは電磁ソレノイド７３により行い、その電磁ソレノイド７３を作動させる信号を滞留部６３のフロート７５とマイクロスイッチ７６との作用により出力するようにしたものである。
【００４４】
【発明の効果】
以上のように、この発明によれば、洗浄の開始によって発生する洗浄水の一部を滞留させ、その滞留レベルが一定以上になったことをフロートにより検知すると洗浄中であると判断し、浮上したフロート自体により係止部材の作動を阻止することによりロックし、或いは電磁ソレノイドを作動させることによりロックするようにしたので、外部から操作部材に触れても係止部材による係止が解除されることがない。このため、洗浄中に扉が開放されるという不都合を解消することができる。
【図面の簡単な説明】
【図１】実施形態の食器洗い乾燥機の斜視図
【図２】同上の扉開放途中における一部斜視図
【図３】同上の扉全開状態の一部斜視図
【図４】同上の扉部分の一部切欠き正面図
【図５】同上の扉部分の一部切欠き側面図
【図６】同上のロック装置部分のロック状態における縦断正面図
【図７】（ａ）図６のＡ−Ａ線の断面図
（ｂ）図６のＢ−Ｂ線の断面図
【図８】同上のロック装置部分のロック解除状態における縦断正面図
【図９】（ａ）図６のＣ−Ｃ線の断面図
（ｂ）図８のＤ−Ｄ線の断面図
【図１０】同上のロック装置部分の一部を断面で示す分解斜視図
【図１１】（ａ）同上の作動部材の平面図
（ｂ）同じく正面図
（ｃ）同じく側面図
（ｄ）同じく斜視図
（ｅ）同じく斜視図
【図１２】（ａ）同上のフロート装置部分の斜視図
（ｂ）（ａ）図の断面図
【図１３】他の実施形態の一部縦断正面図
【図１４】同上の一部拡大断面図
【符号の説明】
１  本体
２、２’  扉
３  中央ヒンジ部
４、４’  ガイド部材
５、５’  ガイドレール
６、６’  ヒンジピン
７、７’  ハンドル
８、８’  操作ボタン
９、９’  ボタンヒンジ
１０  ボタンヒンジ受け部
１１  係合段部
１２  表面板
１３  裏面板
１４  ロック装置
１５  上部係止部材
１６  下部係止部材
１７  作動部材
１８  パッキン
１９  フロート
２０  ガイド部
２１  ガイド部材
２２、２２’  係止凹部
２３  コイルばね
２４  突起
２５  右ガイド溝
２６  突起
２７  左ガイド溝
２８  操作面
２９  穴
３１  凸部
３２  コイルばね
３３  左垂直部
３４  左水平部
３５  右垂直部
３６  右水平部
３７  傾斜カム面
３８  カム部
３９  ロッド部
４１  リブ
４２  壁面
４３  ロック装置設置部
４４  フロート装置設置部
４５  作動部材ガイド部
４６  ガイド溝
４７  開口
４８  パッキン収納部
４９  係止爪
５１  ヘッド部
５２  蛇腹部
５３  スカート部
５４  後退付勢ばね
５５  つば部
５６  ばね受け部材
５７  後端ストッパー
５８  前端ストッパー
５９  フロート装置
６１、６１’  ガイド部
６２  集水用切欠き
６３  滞留部
６４、６４’  溢流壁
６５  排水口
６６  支持アーム
６７  支持軸
６８  切欠き凹部
６９  ロック部材
７０  爪部
７１  揺動ピン
７２  コイルばね
７３  電磁ソレノイド
７４  プランジャー
７５  フロート
７６  マイクロスイッチ
７７  溢水口
７８  フロート室
７９  ロッド
８１  アーマチュア
【図１】
2004313325.tif 000003
【図２】
2004313325.tif 000004
【図３】
2004313325.tif 000005
【図４】
2004313325.tif 000006
【図５】
2004313325.tif 000007
【図６】
2004313325.tif 000008
【図７】
2004313325.tif 000009
【図８】
2004313325.tif 000010
【図９】
2004313325.tif 000011
【図１０】
2004313325.tif 000012
【図１１】
2004313325.tif 000013
【図１２】
2004313325.tif 000014
【図１３】
2004313325.tif 000015
【図１４】
2004313325.tif 000016